(57)【要約】【課題】自動運転走行の一時停車時に、ブレーキ力が十分ではなくなることを抑制できる車両の制御装置を提供する。【解決手段】駆動力源と、駆動輪と、駆動輪を含む車輪に制動トルクを作用させる制動機構と、駆動力源から駆動輪に到るトルクの伝達経路を係合状態と解放状態とに切り替え可能な遮断機構と、乗員が運転操作することなく自動走行できるように、少なくとも駆動輪と制動機構と遮断機構とを自動走行中に制御するコントローラとを備え、コントローラは、車両が一時停止する位置を検出し（ステップＳ２）、一時停止する位置が検出された場合に、一時停止するべき位置で車両を一時停止させる制動制御を実行するとともに、遮断機構を解放状態に切り替え（ステップＳ４）、車両が発進する際の安全確認を実行した後に（ステップＳ６）、遮断機構を係合状態に切り替える（ステップＳ７）ように構成されている。【選択図】図４
2019025940.tif 000002
【特許請求の範囲】
【請求項１】
駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、
前記コントローラは、
前記車両が一時停止するべき位置を検出し、
前記一時停止するべき位置が検出された場合に、前記一時停止するべき位置で前記車両を一時停止させる制動制御を実行するとともに、前記遮断機構を前記係合状態から前記解放状態に切り替え、
前記車両が前記一時停止するべき位置から発進する際の安全確認を実行した後に、前記遮断機構を前記解放状態から前記係合状態に切り替えるように構成されている
ことを特徴とする車両の制御装置。
【請求項２】
請求項１に記載の車両の制御装置において、
前記コントローラは、
前記遮断機構を前記解放状態にして前記車両が走行した場合に、前記車両が前記一時停止するべき位置まで到達することができるか否かを判断し、
前記車両が前記一時停止するべき位置まで到達することができると判断した場合に、前記一時停止するべき位置に到達する以前に、前記遮断機構を前記係合状態から前記解放状態に切り替えるように構成されている
ことを特徴とする車両の制御装置。
【請求項３】
請求項１または２に記載の車両の制御装置において、
前記駆動力源は、エンジンを含み、
前記エンジンの排気を浄化する触媒コンバータを備え、
前記コントローラは、
前記車両が前記一時停止するべき位置で停止している間における前記触媒コンバータの温度を検出し、
前記触媒コンバータの温度が予め定められた第１規定温度以上の場合に、前記エンジンを停止させるように構成されている
ことを特徴とする車両の制御装置。
【請求項４】
請求項３に記載の車両の制御装置において、
前記コントローラは、
前記触媒コンバータの温度が、前記第１規定温度よりも低温の予め定められた第２規定温度以上の場合に、前記車両が前記一時停止するべき位置で停止している間に、前記停止された前記エンジンを再始動させるように構成されている
ことを特徴とする車両の制御装置。
【請求項５】
請求項１または２に記載の車両の制御装置において、
前記駆動力源は、エンジンおよびモータを含み、
前記エンジンの排気を浄化する触媒コンバータを備え、
前記触媒コンバータは、前記モータで生じた熱により暖機されるように構成され、
前記コントローラは、
前記車両が前記一時停止するべき位置で停止している間における前記触媒コンバータの温度を検出し、
前記触媒コンバータの温度が予め定められた第１規定温度以上の場合に、前記エンジンおよび前記モータを停止させるように構成されている
ことを特徴とする車両の制御装置。
【請求項６】
請求項５に記載の車両の制御装置において、
前記コントローラは、
前記触媒コンバータの温度が、前記第１規定温度よりも低温の予め定められた第２規定温度以上の場合に、前記車両が前記一時停止するべき位置で停止している間に、前記停止された前記エンジンと前記モータとのいずれか一方を再始動させるように構成されている
ことを特徴とする車両の制御装置。
【請求項７】
請求項１ないし６のいずれか一項に記載の車両の制御装置において、
前記コントローラは、
前記車両が一方通行路における前記一時停止するべき位置で停止する場合には、前記一方通行路の道路幅での中央部に前記車両を停止させるように構成されている
ことを特徴とする車両の制御装置。
【請求項８】
請求項１ないし７のいずれか一項に記載の車両の制御装置において、
前記コントローラは、
前記車両が進入する交差点と同一の交差点に繋がっている進入路に一時停車している他車両があるか否かを判断し、
前記交差点に進入する順序を定めるための情報を前記車両と前記他車両とで交換し、
前記交換された情報に基づいて前記交差点に進入する順序を定めるように構成されている
ことを特徴とする車両の制御装置。
【請求項９】
請求項８に記載の車両の制御装置において、
前記情報は、前記一時停止した時刻を含む
ことを特徴とする車両の制御装置。
【請求項１０】
請求項１ないし７のいずれか一項に記載の車両の制御装置において、
前記コントローラは、
前記車両が進入する交差点と同一の交差点に繋がっている進入路に一時停車している他車両があるか否かを判断し、  
前記他車両との間で走行方向についての情報を交換し、
前記車両の走行経路と前記他車両の走行経路とが交差しない場合に、前記他車両の前記交差点への進入の有無に関わらず、前記車両が前記交差点に進入することを可能にするように構成されている
ことを特徴とする車両の制御装置。
【発明の詳細な説明】
【技術分野】
【０００１】
この発明は、運転者がアクセル操作、ブレーキ操作、ステアリング操作などの運転操作をすることなく自動で走行可能な車両の制御装置に関するものである。
【背景技術】
【０００２】
特許文献１には、交差点の入り口に設けられた一時停止位置で車両を確実に停止させるとともに、運転者が安全確認をしたことを条件として走行可能にする車両の制御装置が記載されている。具体的には、その制御装置は、一時停止位置を検出し、その位置で車両が停止するように自動的にブレーキ力を制御し、車両が停止したことを条件としてアクセル操作を無効化させる。つまり、車両が停止した場合には、運転者がアクセル操作したとしても、そのアクセル操作量に依存せずにエンジンのスロットルバルブを閉じるように制御される。そして、一時停止から所定時間が経過した後に、ブレーキ力を低下させて緩やかに車両を発進させ、その後に、運転者が安全確認したことを車載カメラなどで検出した場合に、アクセル操作の無効化を解除する。
【先行技術文献】
【特許文献】
【０００３】
【特許文献１】特開２０１０−４８１９８号公報
【発明の概要】
【発明が解決しようとする課題】
【０００４】
特許文献１に記載された車両の制御装置は、スロットルバルブを閉じ、かつブレーキ力をある程度大きくすることにより、一時停止位置などで車両の停止状態を維持するようになっている。これに対して、エンジンを搭載した車両では、補機類を駆動していたり、走行路面に勾配がついていたりなどの種々の条件で、停車時においてもスロットルバルブを開く場合がある。このような場合に、上記の特許文献１に記載されている制御装置では、停止状態を維持するための「スロットルバルブを閉じる」要件が成立しないので、例えばブレーキ機構の経年劣化や路面状態などを要因としてブレーキ力が相対的に不足する事態では、ブレーキ力が十分ではなくなる可能性がある。
【０００５】
この発明は上記のような技術的課題に着目して考え出されたものであり、自動運転走行の一時停車時に、ブレーキ力が不足することを抑制できる車両の制御装置を提供することを目的とするものである。
【課題を解決するための手段】
【０００６】
上記の目的を達成するために、この発明は、駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、前記コントローラは、前記車両が一時停止するべき位置を検出し、前記一時停止するべき位置が検出された場合に、前記一時停止するべき位置で前記車両を一時停止させる制動制御を実行するとともに、前記遮断機構を前記係合状態から前記解放状態に切り替え、前記車両が前記一時停止するべき位置から発進する際の安全確認を実行した後に、前記遮断機構を前記解放状態から前記係合状態に切り替えるように構成されていることを特徴とするものである。
【０００７】
この発明では、前記コントローラは、前記遮断機構を前記解放状態にして前記車両が走行した場合に、前記車両が前記一時停止するべき位置まで到達することができるか否かを判断し、前記車両が前記一時停止するべき位置まで到達することができると判断した場合に、前記一時停止するべき位置に到達する以前に、前記遮断機構を前記係合状態から前記解放状態に切り替えるように構成されていてよい。
【０００８】
この発明では、前記駆動力源は、エンジンを含み、前記エンジンの排気を浄化する触媒コンバータを備え、前記コントローラは、前記車両が前記一時停止するべき位置で停止している間における前記触媒コンバータの温度を検出し、前記触媒コンバータの温度が予め定められた第１規定温度以上の場合に、前記エンジンを停止させるように構成されていてよい。
【０００９】
この発明では、前記コントローラは、前記触媒コンバータの温度が、前記第１規定温度よりも低温の予め定められた第２規定温度以上の場合に、前記車両が前記一時停止するべき位置で停止している間に、前記停止された前記エンジンを再始動させるように構成されていてよい。
【００１０】
この発明では、前記駆動力源は、エンジンおよびモータを含み、前記エンジンの排気を浄化する触媒コンバータを備え、前記触媒コンバータは、前記モータで生じた熱により暖機されるように構成され、前記コントローラは、前記車両が前記一時停止するべき位置で停止している間における前記触媒コンバータの温度を検出し、前記触媒コンバータの温度が予め定められた第１規定温度以上の場合に、前記エンジンおよび前記モータを停止させるように構成されていてよい。
【００１１】
この発明では、前記コントローラは、前記触媒コンバータの温度が、前記第１規定温度よりも低温の予め定められた第２規定温度以上の場合に、前記車両が前記一時停止するべき位置で停止している間に、前記停止された前記エンジンと前記モータとのいずれか一方を再始動させるように構成されていてよい。
【００１２】
この発明では、前記コントローラは、前記車両が一方通行路における前記一時停止するべき位置で停止する場合には、前記一方通行路の道路幅での中央部に前記車両を停止させるように構成されていてよい。
【００１３】
この発明では、前記コントローラは、前記車両が進入する交差点と同一の交差点に繋がっている進入路に一時停車している他車両があるか否かを判断し、前記交差点に進入する順序を定めるための情報を前記車両と前記他車両とで交換し、前記交換された情報に基づいて前記交差点に進入する順序を定めるように構成されていてよい。
【００１４】
この発明では、前記情報は、前記一時停止した時刻を含んでよい。
【００１５】
この発明では、前記コントローラは、前記車両が進入する交差点と同一の交差点に繋がっている進入路に一時停車している他車両があるか否かを判断し、前記他車両との間で走行方向についての情報を交換し、前記車両の走行経路と前記他車両の走行経路とが交差しない場合に、前記他車両の前記交差点への進入の有無に関わらず、前記車両が前記交差点に進入することを可能にするように構成されていてよい。
【発明の効果】
【００１６】
この発明によれば、自動走行中に一時停止するべき位置が検出された場合には、一時停止するべき位置にて車両を一時停止させる制動制御を実行するとともに、駆動力源から駆動輪に到るトルクの伝達経路でのトルクの伝達を遮断する解放状態に遮断機構を切り替え、安全確認を実行した後に、上記伝達経路でのトルクの伝達を可能にする係合状態に遮断機構を切り替えるように構成されている。したがって、一時停止時に駆動力源を適宜駆動させ、または停止させることができるとともに、駆動力源を駆動させている状態であっても、駆動輪にトルクが伝達されることを抑制できる。したがって、制動機構の経年劣化や路面状態などを要因として制動トルクが相対的に不足する事態が生じることなく、ブレーキ力が十分ではなくなることを抑制できる。言い換えると、制動機構などの性能低下を補うバックアップとして遮断機構が機能するため、安全性を向上させることができる。また、一時停車している間に駆動力源を駆動している場合であっても、遮断機構を解放状態にすることにより、駆動力源に作用する抵抗力を低下させることができるため、駆動力源を過度に駆動する必要がなく、燃費の悪化や電力消費量の増加を抑制することができる。
【図面の簡単な説明】
【００１７】
【図１】この発明で対象とすることのできる車両の一例を説明するための模式図である。
【図２】モータの配置を変更した例を示す模式図である。
【図３】この発明の実施例におけるコントローラの一例を説明するための図である。
【図４】自動運転モードが設定されている際のクラッチ機構およびブレーキ機構の制御の一例を説明するためのフローチャートである。
【図５】自動運転モードが設定されている際のエンジンやモータの制御の一例を説明するためのフローチャートである。
【図６】交差点への進入順序を定める制御の一例を説明するためのフローチャートである。
【図７】3or4 way-stopの法令に基づいて一時停車した場合における交差点への進入順序を定める制御の一例を説明するためのフローチャートである。
【図８】交差点に繋がっている進入路に一時停車している他車両の走行経路に応じて、交差点の進入の可否を判断する制御の一例を説明するためのフローチャートである。
【発明を実施するための形態】
【００１８】
この発明で対象とすることのできる車両Ｖｅの一例を説明するための模式図を図１に示している。この車両Ｖｅは、駆動力源としてのエンジン（ＥＮＧ）１とモータ（ＭＧ）２とを備えたハイブリッド車両である。それらのエンジン１とモータ２とは、車両Ｖｅの前方に配置され、エンジン１やモータ２から出力されたトルクが、前輪３Ｒ，３Ｌに伝達されるように構成されている。
【００１９】
このエンジン１は、従来知られているものと同様に構成することができ、供給される燃料と空気との混合気を燃焼することにより動力を発生させるものであって、ガソリンエンジンやディーゼルエンジンを採用することができる。このようにエンジン１で混合気を燃焼することにより排気が生じる。その排気を浄化するための触媒コンバータ４が、エンジン１に連結されている。具体的には、エンジン１には、車両Ｖｅの後方に向けて配置された排気管５が連結されており、その排気管５の中間部に触媒コンバータ４が設けられている。なお、この触媒コンバータ４は従来知られているものと同様に構成することができ、所定の温度で浄化性能が良好になるものであり、エンジン１の排気により暖機される。具体的には、エンジン１に供給する混合気の空燃比（Ａ／Ｆ）を小さくするなどにより触媒コンバータ４を暖気する。またはモータ２あるいは後述するトランスミッション６などで生じた熱を、触媒コンバータ４に伝達し、またはモータ２などを冷却したオイルを触媒コンバータ４の周囲に流動させて、触媒コンバータ４を暖機するように構成されている。
【００２０】
エンジン１は、車幅方向の左側に向けて配置された出力軸７を有している。また、車幅方向におけるエンジン１の右側には、モータ２が配置されており、そのモータ２のトルクをエンジン１の出力軸７に伝達することができるように構成されている。すなわち、出力軸７は、エンジン１の車幅方向における右側まで貫通して設けられており、その部分にモータ２がトルク伝達可能に連結されている。したがって、エンジン１のみから出力軸７にトルクを伝達することや、モータ２のみから出力軸７にトルクを伝達すること、あるいはエンジン１とモータ２との双方から出力軸７にトルクを伝達することができるように構成されている。なお、モータ２を配置する位置は、特に限定されず、例えば、図２に示すようにエンジン１の出力側（車幅方向における左側）に配置されていてもよい。
【００２１】
このモータ２は、従来知られているハイブリッド車両や電気自動車に駆動力源として搭載されたモータ・ジェネレータと同様に構成することができ、走行のための駆動トルクを出力することができるとともに、制動のための制動トルクを出力することができ、そのように制動トルクを出力した場合には、運動エネルギーを電気エネルギーに変換することができるように構成されている。その一例としては、永久磁石形の同期モータや誘導モータなどである。したがって、上記のエンジン１やモータ２が、車両Ｖｅの駆動力を発生させる駆動力源として機能する。なお、モータ２には、図示しないインバータやコンバータを介してバッテリが電気的に接続されている。
【００２２】
エンジン１の出力軸７には、クラッチ機構８が連結されている。このクラッチ機構８は、この発明の実施例における「遮断機構」に相当するものであり、従来知られている摩擦式のクラッチ機構で構成されている。したがって、クラッチ機構８は、駆動側プレート９と、従動側プレート１０と、図示しないアクチュエータとを備えている。その駆動側プレート９に出力軸７が連結され、従動側プレート１０にトランスミッション（Ｔ／Ｍ）６の入力軸１１が連結されている。すなわち、エンジン１やモータ２から駆動輪３Ｒ，３Ｌに到るトルクの伝達経路にクラッチ機構８が介在している。このクラッチ機構８は、アクチュエータの制御量に応じて駆動側プレート９と従動側プレート１０とを摩擦接触させて、その摩擦力に応じたトルクを伝達し、あるいは駆動側プレート９と従動側プレート１０とを離隔させて、トルクの伝達を遮断することができるように構成されている。すなわち、クラッチ機構８は、エンジン１やモータ２から駆動輪３Ｒ，３Ｌに到るトルクの伝達経路でのトルクの伝達を可能にする係合状態と、その伝達経路でのトルクの伝達を遮断する解放状態とを切り替えることができるように構成されている。なお、クラッチ機構８は、摩擦式のものに限らず、相対回転可能な二つの回転部材にそれぞれ形成されたドグ歯を噛み合わせることにより、トルク伝達可能になる、いわゆるドグクラッチでもよい。
【００２３】
上記のトランスミッション６は、従来知られている有段式の変速機構や無段式の変速機構を採用することができ、要求駆動力や車速などに応じてトランスミッション６の変速比を適宜変更することができるように構成されている。
【００２４】
そして、トランスミッション６は、従来知られているものと同様に構成されたデファレンシャルギヤ１２と各ドライブシャフト１３Ｒ，１３Ｌとを介して、左右の前輪３Ｒ，３Ｌが連結されている。各前輪３Ｒ，３Ｌは、この発明の実施例における「駆動輪」に相当し、エンジン１やモータ２からトルクが伝達されることにより走行するための駆動力を発生させる。これらの前輪３Ｒ，３Ｌには、それぞれブレーキ機構１４Ｒ，１４Ｌが設けられている。なお、ブレーキ機構１４Ｒ，１４Ｌは、図示しない後輪に設けられていてもよい。
【００２５】
上記の車両Ｖｅは、従来の一般的な車両と同様に乗員の運転操作に従って走行する手動運転走行と、乗員が運転操作することなく、駆動力や制動力、あるいは操舵輪（ここでは、前輪３Ｒ，３Ｌとする）の転舵角を制御して自動で走行する自動運転走行とを切り替えることが可能なように構成されている。
【００２６】
上記のような手動運転走行時や自動運転走行時におけるエンジン１、モータ２、クラッチ機構８、トランスミッション６、ブレーキ機構１４Ｒ，１４Ｌなどの動作を制御するためのコントローラ（ＥＣＵ）１５が設けられている。コントローラ１５は、例えばマイクロコンピュータを主体にして構成された電子制御装置であり、その制御系統の概要を説明するための図を図３に示してある。コントローラ１５には、車両Ｖｅ各部のセンサ・車載装置類１６からの検出信号や情報信号などが入力されるように構成されている。なお、図３では１つのコントローラ１５が設けられた例を示しているが、コントローラ１５は、例えば制御する装置や機器毎に、複数設けられていてもよい。
【００２７】
センサ・車載装置類１６のうち、車両Ｖｅの走行状態および各部の作動状態や挙動等を検出する主な内部センサ１７として、例えば、アクセル開度を検出するアクセルセンサ、ブレーキペダルの踏み込み量を検出するブレーキセンサ（もしくはブレーキスイッチ）、ステアリング機構の操舵角を検出する操舵角センサ、エンジン１の回転数を検出するエンジン回転数センサ、トランスミッション６の出力回転数を検出するアウトプット回転数センサ、車速を求める車速センサ、車両Ｖｅの前後加速度を検出する前後加速度センサ、車両Ｖｅの横加速度を検出する横加速度センサ、車両Ｖｅのヨーレートを検出するヨーレートセンサ、触媒コンバータ４の温度を検出する温度センサなどが備えられている。
【００２８】
センサ・車載装置類１６のうち、車両Ｖｅの周辺情報や外部状況を検出する主な外部センサ１８として、例えば、車載カメラ、レーダー［RADAR:Radio Detection and Ranging］、および、ライダー［LIDAR:Laser Imaging Detection and Ranging］などの少なくとも一つが備えられている。
【００２９】
車載カメラは、例えば車両Ｖｅのフロントガラスの内側に設置され、車両Ｖｅの外部状況に関する撮像情報をコントローラ１５に送信するように構成されている。車載カメラは、単眼カメラであってもよく、あるいはステレオカメラであってもよい。ステレオカメラは、両眼視差を再現するように配置された複数の撮像部を有している。ステレオカメラの撮像情報によれば、車両前方の奥行き方向の情報も取得することができる。
【００３０】
レーダーは、ミリ波やマイクロ波などの電波を利用して車両Ｖｅの外部の他車両や障害物等を検出し、その検出データをコントローラ１５に送信するように構成されている。例えば、電波を車両Ｖｅの周囲に放射し、他車両や障害物等に当たって反射された電波を受信して測定・分析することにより、他車両や障害物等を検出する。
【００３１】
ライダーは、レーザー光を利用して車両Ｖｅの外部の他車両や障害物等を検出し、その検出データをコントローラ１５に送信するように構成されている。例えば、レーザー光を車両Ｖｅの周囲に放射し、他車両や障害物等に当たって反射されたレーザー光を受光して測定・分析することにより、他車両や障害物等を検出する。
【００３２】
上記のような内部センサ１７や外部センサ１８の他に、ＧＰＳ［Global Positioning System］受信部１９、地図データベース２０、ナビゲーションシステム２１、および他車両の運転状況などのデータを互いに送受信可能な車車間通信部２２等が備えられている。ＧＰＳ受信部１９は、複数のＧＰＳ衛星からの電波を受信することにより、車両Ｖｅの位置（例えば、車両Ｖｅの緯度および経度）を測定し、その位置情報をコントローラ１５に送信するように構成されている。地図データベース２０は、地図情報を蓄積したデータベースである。この地図データベース２０は、コントローラ１５内に形成されていてもよい。地図データベース２０に代えて、例えば車両Ｖｅと通信可能な情報処理センタなどの外部施設のコンピュータに記憶されたデータを利用してもよい。ナビゲーションシステム２１は、ＧＰＳ受信部１９が測定した車両Ｖｅの位置情報と、地図データベース２０の地図情報とに基づいて、車両Ｖｅの走行ルートを算出するように構成されている。車車間通信部２２は、周辺の他車両における車速や停車時間あるいはウインカーの点灯の有無などの運転情報を受信し、また自車両における進路（後述する）などのデータを送信可能に構成されている。なお、車車間通信部２２は、自車両と他車両とで直接信号を送受信するように構成されていてもよく、情報処理センタなどの外部施設のコンピュータを介して自車両と他車両とでデータを送受信するように構成されていてもよい。
【００３３】
上記のような各種のセンサ・車載装置類１６からの検出データや情報データが、コントローラ１５に入力されるように構成されている。そして、それら入力されたデータおよび予め記憶させられているデータ等を使用して演算を行い、その演算結果を基に、エンジン１、モータ２、クラッチ機構８、トランスミッション６、ブレーキ機構１４Ｒ，１４Ｌなどの車両Ｖｅ各部のアクチュエータ２３に対して、制御指令信号を出力するように構成されている。なお、図３では便宜上一つのアクチュエータ２３で示している。
【００３４】
車両Ｖｅを自動運転走行させるための主なアクチュエータとして、スロットルアクチュエータ、ブレーキアクチュエータ、ステアリングアクチュエータ、およびクラッチアクチュエータ等が備えられている。スロットルアクチュエータは、コントローラ１５から出力される制御信号に応じてエンジン１のスロットル開度やモータ２に対する供給電力を制御するように構成されている。ブレーキアクチュエータは、コントローラ１５から出力される制御信号に応じてブレーキ機構１４Ｒ，１４Ｌを作動させ、各車輪３Ｒ，３Ｌへ付与する制動トルクを制御するように構成されている。ステアリングアクチュエータは、コントローラ１５から出力される制御信号に応じて電動パワーステアリング機構のアシストモータを駆動し、操舵トルクを制御するように構成されている。クラッチアクチュエータは、コントローラ１５から出力される制御信号に応じてクラッチ機構８の伝達トルク容量を定め、駆動側プレート９と従動側プレート１０と接触圧を制御するように構成されている。
【００３５】
コントローラ１５は、車両Ｖｅを自動運転走行させるための主な制御部として、例えば、車両位置認識部２４、外部状況認識部２５、走行状態認識部２６、走行計画生成部２７、および走行制御部２８等を有している。
【００３６】
車両位置認識部２４は、ＧＰＳ受信部１９で受信した車両Ｖｅの位置情報および地図データベース２０の地図情報に基づいて、地図上における車両Ｖｅの車両位置を認識するように構成されている。なお、ナビゲーションシステム２１で用いられる車両位置を、そのナビゲーションシステム２１から取得することもできる。あるいは、道路上や道路脇の外部に設置されたセンサで車両Ｖｅの車両位置を測定可能な場合は、そのセンサとの通信によって車両位置を取得することもできる。
【００３７】
外部状況認識部２５は、例えば車載カメラの撮像情報やレーダーもしくはライダーの検出データに基づいて、車両Ｖｅの外部状況を認識するように構成されている。外部状況としては、例えば、走行車線の位置、道路幅、道路の形状、路面勾配、および、車両周辺の障害物に関する情報等や、車車間通信部２２による他車両の運転情報などが取得される。また、走行環境として車両周辺の気象情報や路面の摩擦係数などを取得してもよい。
【００３８】
走行状態認識部２６は、内部センサ１７の各種の検出データに基づいて、車両Ｖｅの走行状態を認識するように構成されている。車両Ｖｅの走行状態としては、例えば、車速、前後加速度、横加速度、および、ヨーレートなどが取得される。
【００３９】
走行計画生成部２７は、例えば、ナビゲーションシステム２１で演算された目標ルート、車両位置認識部２４で認識された車両位置、および外部状況認識部２５で認識された外部状況等に基づいて、車両Ｖｅの進路を生成するように構成されている。進路は、目標ルートに沿って車両Ｖｅが進行する軌跡である。また、走行計画生成部２７は、目標ルート上で、安全に走行すること、一時停止などの法令を順守して走行すること、および効率よく走行すること等の基準に沿って、車両Ｖｅが適切に走行することができるように進路を生成する。
【００４０】
そして、走行計画生成部２７は、生成した進路に応じた走行計画を生成するように構成されている。具体的には、少なくとも、外部状況認識部２５で認識された外部状況および地図データベース２０の地図情報に基づいて、予め設定された目標ルートに沿った走行計画が生成される。
【００４１】
走行計画は、車両Ｖｅの将来の駆動力要求を含む車両Ｖｅの走行状態を予め設定するものであり、例えば現在時刻から数秒先の将来のデータを基に生成される。車両Ｖｅの外部状況や走行状況によっては、現在時刻から数十秒先の将来のデータを用いることもできる。走行計画は、例えば、目標ルートに沿った進路を車両Ｖｅが走行する際に、車速、加速度、および操舵トルク等の推移を示すデータとして走行計画生成部２７から出力される。
【００４２】
また、走行計画は、車両Ｖｅの速度パターン、加速度パターン、および操舵パターンとして走行計画生成部２７から出力することもできる。速度パターンとは、例えば、進路上に所定間隔で設定された目標制御位置に対して、各目標制御位置毎に時間に関連付けられて設定された目標車速からなるデータである。加速度パターンとは、例えば、進路上に所定間隔で設定された目標制御位置に対して、各目標制御位置毎に時間に関連付けられて設定された目標加速度からなるデータである。操舵パターンとは、例えば、進路上に所定間隔で設定された目標制御位置に対して、各目標制御位置毎に時間に関連付けられて設定された目標操舵トルクからなるデータである。
【００４３】
走行制御部２８は、走行計画生成部２７で生成された走行計画に基づいて、車両Ｖｅの走行を自動で制御するように構成されている。具体的には、走行計画に応じた制御信号が、スロットルアクチュエータ、ブレーキアクチュエータ、ステアリングアクチュエータ、およびシフトアクチュエータ等の各アクチュエータに対して出力される。それによって、車両Ｖｅが自動運転走行される。
【００４４】
この車両Ｖｅの制御装置は、自動運転走行する自動運転モードが設定されている状態で車両Ｖｅが一時停止した場合に、エンジン１やモータ２が駆動した状態であっても、ブレーキ力が十分ではなくなることを抑制できるように構成されている。
【００４５】
図４は、その制御の一例を説明するため、より具体的には、クラッチ機構８およびブレーキ機構１４Ｒ，１４Ｌの制御の一例を説明するためのフローチャートである。図４に示す例では、先ず、自動運転モードが設定されているか否かを判断する（ステップＳ１）。このステップＳ１は、例えば、自動運転モードが設定されることによりオンに切り替えられるフラグに基づいて判断することができる。手動運転モードが設定されており自動運転走行中でないことにより、このステップＳ１で否定的に判断された場合は、以降の制御を実行することなく、このルーチンを一旦終了する。
【００４６】
一方、自動運転モードが設定されていることにより、ステップＳ１で肯定的に判断された場合には、ナビゲーションシステム２１で演算された目標ルート、または走行計画生成部２７で生成された進路に沿って走行した場合に、所定距離前方までに法令に基づいて一時停止するべき位置（以下、一時停止位置と記す）があるか否かを判断する（ステップＳ２）。一時停止位置は、道路標識や停止線などを車載カメラの画像処理により検出してもよく、あるいはナビゲーションシステム２１に予め記憶されているデータに基づいて検出してもよい。なお、所定距離は、車載カメラの性能（撮像可能距離）などに基づいて定めることができる。
【００４７】
所定距離前方に一時停止位置がないことによりステップＳ２で否定的に判断された場合は、以降の制御を実行することなく、このルーチンを一旦終了する。それとは反対に、所定距離前方に一時停止位置がありステップＳ２で肯定的に判断された場合は、クラッチ機構８を解放した惰性走行（以下、ニュートラル惰性走行と記す）で一時停止位置まで到達することができるか否かを判断する（ステップＳ３）。このステップＳ３は、現在の車速や、現在位置から一時停止位置までの進路上の距離（道のり）、道路勾配、あるいは走行抵抗などに基づいて判断することができる。
【００４８】
ニュートラル惰性走行で一時停止位置まで到達することができず、ステップＳ３で否定的に判断された場合は、以降の制御を実行することなく、このルーチンを一旦終了する。つまり、この場合には、一時停止位置に向けてエンジン１やモータ２を制御して走行し続ける。一方、一時停止位置がある程度近い場合などであって、ニュートラル惰性走行で一時停止位置まで到達することができることにより、ステップＳ３で肯定的に判断された場合は、クラッチ機構８を解放するとともに、ブレーキ機構１４Ｒ，１４Ｌの制動トルクを制御する（ステップＳ４）。つまり、エンジン１やモータ２から駆動輪（前輪）３Ｒ，３Ｌに到るトルクの伝達経路を係合状態から解放状態に切り替えるとともに、一時停止位置で停車するように制動トルクを制御する。なお、ステップＳ３で肯定的に判断された後に、直ちにブレーキ機構１４Ｒ，１４Ｌにより駆動輪３Ｒ，３Ｌに制動トルクを作用させる必要はなく、走行路の状態などに応じて制動トルクを適宜制御する。
【００４９】
ついで、車両Ｖｅが停止したか否かを判断する（ステップＳ５）。このステップＳ５は、車速センサの検出値などに基づいて判断することができる。車両Ｖｅが停止しておらず、すなわち一時停止位置まで車両Ｖｅが到達しておらず、ステップＳ５で否定的に判断された場合は、以降の制御を実行することなく、このルーチンを一旦終了する。すなわち、一時停止位置で停車するようにブレーキ機構１４Ｒ，１４Ｌによる制動トルクなどを継続して制御する。上記のステップＳ４から、後述するステップＳ６で肯定的に判断されるまでの間におけるブレーキ機構１４Ｒ，１４Ｌの制御が、この発明の実施例における「制動制御」に相当する。
【００５０】
一方、車両Ｖｅが停止していることによりステップＳ５で肯定的に判断された場合は、安全確認が完了したか否かを判断する（ステップＳ６）。このステップＳ６における安全確認は、車両Ｖｅの周辺に他の車両や人などがいないこと、交差点に進入した時点で他の車両や人などと接触しないことなどの種々の確認事項を、車載カメラ、レーダー、およびライダーなどの検出値に基づいて行うことができる。なお、安全確認の完了とは、上記の種々の確認事項の結果が、全て良好な判断結果であることを意味している。したがって、例えば、交差点に進入した時点で他の車両や人などと接触することが演算結果などにより確認された場合には、安全確認が完了しない。
【００５１】
安全確認が完了しておらずステップＳ６で否定的に判断された場合は、安全確認が完了するまでステップＳ６を繰り返し実行する。それとは反対に、安全確認が完了していることによりステップＳ６で肯定的に判断された場合は、クラッチ機構８を係合し（ステップＳ７）、このルーチンを一旦終了する。すなわち、エンジン１やモータ２から駆動輪３Ｒ，３Ｌへのトルクの伝達が可能な係合状態に、解放状態から切り替える。
【００５２】
上述したように一時停車しているときに、クラッチ機構８が解放されていること、すなわち駆動力源としてのエンジン１やモータ２と駆動輪３Ｒ，３Ｌとのトルクの伝達が遮断されていることにより、駆動力源を適宜駆動させ、または停止させることができるとともに、駆動力源を駆動させている状態であっても、駆動輪３Ｒ，３Ｌにトルクが伝達されることを抑制できる。したがって、ブレーキ機構１４Ｒ，１４Ｌの経年劣化や路面状態などを要因として制動トルクが相対的に不足する事態が生じることなく、ブレーキ力が十分ではなくなることを抑制できる。言い換えると、ブレーキ機構１４，１４Ｌなどの性能低下を補うバックアップとしてクラッチ機構８が機能するため、安全性を向上させることができる。
【００５３】
また、一時停車している間にエンジン１やモータ２を駆動している場合であっても、上記のようにクラッチ機構８を解放することにより、エンジン１やモータ２に作用する抵抗力を低下させることができるため、エンジン１やモータ２を過度に駆動する必要がなく、燃費の悪化や電力消費量の増加を抑制することができる。
【００５４】
さらに、一時停止する以前にクラッチ機構８を解放して惰性走行することにより、一時停止する位置まで走行する間におけるエンジン１およびモータ２の抵抗力を低下させることができる。そのため、エンジン１やモータ２を過度に駆動する必要がなく、燃費の悪化や電力消費量の増加を抑制することができる。
【００５５】
なお、この発明の実施例における車両Ｖｅの制御装置は、図４におけるステップＳ３およびステップＳ４を実行せずに、例えば、一時停止が検出された後に、クラッチ機構８を係合したまま、一時停止位置で車両Ｖｅを停車させ、その後に、クラッチ機構８を解放するように構成してもよい。または、ニュートラル惰性走行の可否に関わらず、他の条件に応じて停車までの間、クラッチ機構８を係合させることを優先するべき時は、車両Ｖｅを停車させた後に、クラッチ機構８を解放するように構成してもよい。
【００５６】
つぎに、自動運転モードが設定されている際のエンジン１やモータ２の制御の一例について説明する。図５は、その説明をするためのフローチャートであり、まず、車両Ｖｅが一時停止中であるか否かを判断する（ステップＳ１１）。このステップＳ１１は、車両Ｖｅが一時停止位置に到達したことにより停車しているか否かを判断すればよく、例えば、車両Ｖｅのメインスイッチが入っていること（レディー状態になっていること）、車両Ｖｅの位置が一時停止位置にあることなどの種々の条件と、車両Ｖｅが停止していることの条件とが成立した場合に、車両Ｖｅが一時停止していると判断することができる。
【００５７】
車両Ｖｅが一時停止中でなく、ステップＳ１１で否定的に判断された場合は、以降の制御を実行することなく、このルーチンを一旦終了する。それとは反対に、一時停止中でありステップＳ１１で肯定的に判断された場合は、触媒温度が、第１規定温度αよりも高いか否かを判断する（ステップＳ１２）。この触媒温度は、触媒コンバータ４の温度を検出するセンサに基づいて求めることができる。第１規定温度αは、現時点でエンジン１やモータ２を停止し、所定時間後にエンジン１を再始動する場合に、再始動時における触媒コンバータ４の温度が、触媒コンバータ４の性能が許容できる性能以上となるように定められた温度であり、予めＥＣＵ１５に記憶されている。なお、外気温やエンジン１の温度、あるいは潤滑油の温度などに応じて、触媒コンバータ４の温度の低下度合いが異なるため、第１規定温度αは、上記の種々の温度などに応じた可変の値であってもよい。
【００５８】
触媒温度が第１規定温度α以下であってステップＳ１２で否定的に判断された場合は、以降の制御を実行することなく、このルーチンを一旦終了する。すなわち、エンジン１やモータ２を駆動した状態を維持して、触媒コンバータ４を暖機する。それとは反対に、触媒温度が第１規定温度αよりも高くステップＳ１２で肯定的に判断された場合は、エンジン１やモータ２を停止して（ステップＳ１３）、ついで発進準備が開始されたか否か、または触媒温度が第２規定温度β未満であるか否かを判断する（ステップＳ１４）。
【００５９】
ステップＳ１４における発進準備の開始の有無は、例えば、図４におけるステップＳ６と同様に判断することができる。すなわち、周囲の状況などから安全確認が完了したか否かに基づいて判断することができる。また、ステップＳ１４における第２規定温度βは、第１規定温度αよりも低い温度であって、例えば、触媒コンバータ４の性能が許容限界の性能となる温度に定めることができる。
【００６０】
発進準備が開始されておらず、また触媒温度が第２規定温度β以上であることにより、ステップＳ１４で否定的に判断された場合には、ステップＳ１３にリターンする。すなわち、エンジン１やモータ２を停止した状態を維持する。これは、エンジン１やモータ２に対する駆動要求がないためである。それとは反対に発進準備が開始され、または触媒温度が第２規定温度β未満であることにより、ステップＳ１４で肯定的に判断された場合には、発進するため、あるいは触媒コンバータ４が過度に低温になることを抑制するために、エンジン１またはモータ２を始動する（ステップＳ１５）。このステップＳ１５では、例えば、バッテリの充電残量や周辺環境などに基づいてエンジン１とモータ２とのうちから駆動する装置（エンジン１、モータ２）を定めてもよい。
【００６１】
上記のように触媒コンバータ４の温度がある程度高温の場合に、エンジン１やモータ２を停止させることにより、燃費の悪化や電力消費量の増加を抑制することができる。また、エンジン１を再始動する際に触媒コンバータ４が過度に低温になることを抑制できるため、エンジン１を再始動させた際の触媒コンバータ４の性能低下を抑制することができる。その結果、エンジン１を再始動させた時点であっても、排気を充分に浄化させることができる。
【００６２】
また、この発明の実施例における車両Ｖｅの制御装置は、車両Ｖｅを一時停止させる位置を、走行路に応じて変更するように構成されている。その制御の一例を図６に示している。なお、図４と同様の制御ステップには、同一の参照符号を付してその説明を省略する。図６に示す例では、所定距離前方に一時停止位置があってステップＳ２で肯定的に判断された場合には、ついで、一方通行路を走行中か否かを判断する（ステップＳ２１）。このステップＳ２１は、車両Ｖｅの現在位置が、ナビゲーションシステム２１における一方通行の走行路上であるか否かなどにより判断することができる。
【００６３】
一方通行を走行中でなくステップＳ２１で否定的に判断された場合は、そのままステップＳ３に移行する。それとは反対に、一方通行を走行中であってステップＳ２１で肯定的に判断された場合は、ついで、一時停止位置における車両Ｖｅの位置を、車線または道路幅の中央部に設定し（ステップＳ２２）、その後、ステップＳ３に移行する。具体的には、走行計画生成部２７で生成される進路を、車線または道路幅の中央部、すなわち一方通行路の中央部に設定する。車線および道路幅は、車載カメラの検出値やナビゲーションシステム２１のデータなどに基づいて検出することができる。なお、一方通行を走行していない場合には、対向車線側から離れた方に寄った位置で一時停止させる。ここで、上記車線の中央部とは、路肩が設けられている道路であり、その路肩部分を除く道路幅の中央部を意味し、道路幅の中央部とは、路肩が設けられていない道路であり、その道路幅の中央部を意味する。
【００６４】
上述したように一方通行路で車線または道路幅の中央部で一時停止することにより、歩行者や軽車両が通行するスペースを安全に確保するとともに、進入する交差点の右方向および左方向から進行してくる歩行者や軽車両あるいは車両との接触などを回避する余裕を確保することができる。
【００６５】
この発明の実施例における車両Ｖｅの制御装置は、更に同一の交差点に進入する他車両と情報を交換して、交差点への進入順序を定めることができるように構成されている。その制御の一例を図７に示している。なお、図４と同様の制御ステップには、同一の参照符号を付してその説明を省略する。図７に示す例では、車両Ｖｅが停止したことによりステップＳ５で肯定的に判断された場合には、ついで、一時停止が3or4 way-stopの法令に基づくものであるか否かを判断する（ステップＳ３１）。このステップＳ３１は、車両Ｖｅの現在位置が、ナビゲーションシステム２１に記憶されている3or4 way-stopの法令が定められた交差点に進入する位置であるか否かなどにより判断することができる。
【００６６】
一時停止が3or4 way-stopの法令に基づくものでないことによりステップＳ３１で否定的に判断された場合は、そのままステップＳ６に移行する。それとは反対に一時停止が3or4 way-stopの法令に基づくものであり、ステップＳ３１で肯定的に判断された場合は、同一の交差点に繋がっている進入路（以下、単に進入路と記す）に停車している他車両があるか否かを判断する（ステップＳ３２）。このステップＳ３２は、例えば、車載カメラ、レーダー、およびライダーなどに基づいて判断することができる。
【００６７】
進入路に停車している他車両がなくステップＳ３２で否定的に判断された場合は、そのままステップＳ６に移行する。それとは反対に進入路に停車している他車両があり、ステップＳ３２で肯定的に判断された場合は、進入路に停車している他車両との間で、交差点に進入する順序を定めるための情報、より具体的には停車した時刻情報を交換する（ステップＳ３３）。このステップＳ３３は、上述した車車間通信部２２により情報交換を行うことができ、または情報処理センタなどの外部施設のコンピュータなどを介して情報交換を行うことができる。なお、ステップＳ３３は、交差点に進入する優先順位を定めるためであり、したがって、停車した具体的な時刻を情報交換せずに、先に停車した車両を特定することができればよい。
【００６８】
ついで、ステップＳ３３で交換された時刻情報に基づいて移動を開始する順序、言い換えると、交差点に進入する順序を決定し（ステップＳ３４）、ステップＳ６に移行する。具体的には、停車した時刻が早い順（停車時間が長い順）に交差点に進入するように順序を定める。この場合、進入路に停車している他車両に対しても同一の情報を送信する。すなわち、交差点に進入する順序の情報を自車両と他車両とが互いに認識し合う。なお、3or4 way-stopの法令が定められた交差点に進入する場合には、自車両が交差点に進入する順序となることも、ステップＳ６における安全確認に含まれる。
【００６９】
上述したように同一の交差点に進入する情報を自車両と他車両とが互いに認識し合うことにより、道路交通規制（ルール）を順守するとともに、安全に走行することができる。
【００７０】
なお、交差点に進入する順序を定める制御例は、3or4 way-stopの法令が定められた交差点に限らず、例えば、対向車線に一時停車している他車両が直進走行であり、自車両が対向車線を跨いで走行する旋回走行する（左側通行の場合には、右折であり、右側通行の場合には、左折である）場合にあっては、他車両と走行方向についての情報を送受信して、他車両が先に交差点に進入するように移動開始順序を定めてもよい。すなわち、図７における制御例は、他車両と情報を交換することによって、交差点に進入する順序を定めることができればよい。
【００７１】
一方、図７に示すように停車した時刻に基づいて交差点に進入する順序を定めたとしても、例えば、交差点に進入するために一時停止している車両の全てが左折する場合などには、互いの車両が接触することがないため、停車した時刻の先後に関わらず、交差点に進入することが好ましい。したがって、この発明の実施例における車両の制御装置は、図７に示す制御とは別に、他車両の進行方向に基づいて交差点に進入できるように構成されている。その制御例を図８に示している。なお、図４および図７と同様の制御ステップには、同一の参照符号を付してその説明を省略する。
【００７２】
図８に示す制御例では、ステップＳ５で肯定的に判断された場合に、進入路に停車車両があるか否かを判断する（ステップＳ３２）。このステップＳ３２は、図７に示す制御例と同様のものであり、ここでは、その一時停止が3or4 way-stopの法令に基づくものであるか否かを判断していない。
【００７３】
進入路に停車している車両がないことによりステップＳ３２で否定的に判断された場合は、そのままステップＳ６に移行し、それとは反対に進入路に停車している車両があり、ステップＳ３２で肯定的に判断された場合は、進入路に停車している車両と、進行方向についての情報を交換する（ステップＳ４１）。このステップＳ４１は、上述した車車間通信部２２により情報交換を行うことができ、または情報処理センタなどの外部施設のコンピュータなどを介して情報交換を行うことができる。なお、進行方向についての情報には、直進走行、旋回走行などが含まれ、これらの情報は、自動運転車両における通信データの送受信により交換するものに限らず、例えば、ウインカーの点灯状況などの情報を認識しあってもよい。
【００７４】
ついで、ステップＳ４１で交換された進行方向についての情報に基づいて、他車両の進行経路のうち、自車両の進路（進行経路）に交差する進行経路があるか否かを判断し（ステップＳ４２）、自車両の進路に交差する進行経路がありステップＳ４２で肯定的に判断された場合には、以降の制御を実行することなく、このルーチンを一旦終了する。それとは反対に、自車両の進路に交差する進行経路がなくステップＳ４２で否定的に判断された場合には、他車両の交差点への進入の有無に関わらず、ステップＳ６に移行する。すなわち、他車両の移動の開始を待たずに自車両が交差点に進入する。
【００７５】
上述したように同一の交差点に進入する車両同士で、進行方向についての情報を送受信（認識）し合うことにより、自車両の進路と他車両の進行経路とが交差しなければ、自車両を迅速に走行開始できる。その結果、乗員が違和感を感じることを抑制することができるとともに、渋滞などが生じることを抑制することができる。
【００７６】
なお、この発明で対象とすることができる車両は、ハイブリッド車両に限らず、エンジンのみを駆動力源とした車両や、モータのみを駆動力源とした電気自動車であってもよい。また、クラッチ機構８は、トランスミッション６と独立して設けられたものに限らず、例えば、有段式の変速機構を備えた車両であれば、個別のクラッチ機構８を設けることなく、有段式の変速機構に搭載されたクラッチ機構を解放して、駆動力源と駆動輪とのトルクの伝達を遮断するように構成してもよい。さらに、駆動力源から駆動輪にトルクを伝達する経路内に差動機構を備えている場合には、その差動機構の反力を低下させることにより、駆動力源と駆動輪とのトルクの伝達を遮断するように構成されていてもよい。
【００７７】
なおまた、上述した各制御例は、それぞれの制御を並行して実行するように構成されていてもよく、それぞれの制御を組み合わせたフローチャートを実行するように構成されていてもよい。
【符号の説明】
【００７８】
１…エンジン、  ２…モータ、  ３Ｒ，３Ｌ…前輪（駆動輪）、  ４…触媒コンバータ、  ５…排気管、  ６…トランスミッション、  ８…クラッチ機構、  ９…駆動側プレート、  １０…従動側プレート、  １５…コントローラ（ＥＣＵ）、  Ｖｅ…車両。
【図１】
2019025940.tif 000003
【図２】
2019025940.tif 000004
【図３】
2019025940.tif 000005
【図４】
2019025940.tif 000006
【図５】
2019025940.tif 000007
【図６】
2019025940.tif 000008
【図７】
2019025940.tif 000009
【図８】
2019025940.tif 000010
【手続補正書】
【提出日】平成29年9月22日(2017.9.22)
【手続補正１】
【補正対象書類名】特許請求の範囲
【補正対象項目名】請求項１
【補正方法】変更
【補正の内容】
【請求項１】
駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、
前記コントローラは、
前記車両が一時停止するべき位置を検出し、
前記一時停止するべき位置が検出された場合に、前記一時停止するべき位置で前記車両を一時停止させる制動制御を実行するとともに、前記遮断機構を前記係合状態から前記解放状態に切り替え、
前記車両が前記一時停止するべき位置から発進する際の安全確認を、前記遮断機構を前記解放状態に維持したまま実行し、
前記安全確認が完了した後に、前記遮断機構を前記解放状態から前記係合状態に切り替えるように構成されている
ことを特徴とする車両の制御装置。
【手続補正２】
【補正対象書類名】明細書
【補正対象項目名】０００６
【補正方法】変更
【補正の内容】
【０００６】
上記の目的を達成するために、この発明は、駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、前記コントローラは、前記車両が一時停止するべき位置を検出し、前記一時停止するべき位置が検出された場合に、前記一時停止するべき位置で前記車両を一時停止させる制動制御を実行するとともに、前記遮断機構を前記係合状態から前記解放状態に切り替え、前記車両が前記一時停止するべき位置から発進する際の安全確認を、前記遮断機構を前記解放状態に維持したまま実行し、前記安全確認が完了した後に、前記遮断機構を前記解放状態から前記係合状態に切り替えるように構成されていることを特徴とするものである。
【手続補正書】
【提出日】平成29年12月4日(2017.12.4)
【手続補正１】
【補正対象書類名】特許請求の範囲
【補正対象項目名】請求項１
【補正方法】変更
【補正の内容】
【請求項１】
駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、
前記コントローラは、
前記車両が一時停止するべき位置を検出し、
前記一時停止するべき位置が検出された場合に、前記一時停止するべき位置で前記車両を一時停止させる制動制御を実行し、
前記一時停止した状態で前記遮断機構を前記係合状態から前記解放状態に切り替え、
前記車両が前記一時停止するべき位置から発進する際における前記車両の周辺情報および外部状況に基づいた安全確認を、前記一時停止した状態でかつ前記遮断機構を前記解放状態に維持したまま実行し、
前記安全確認が完了したことを条件に、前記遮断機構を前記解放状態から前記係合状態に切り替えるように構成されている
ことを特徴とする車両の制御装置。
【手続補正２】
【補正対象書類名】特許請求の範囲
【補正対象項目名】請求項２
【補正方法】変更
【補正の内容】
【請求項２】
駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、
前記コントローラは、
前記車両が一時停止するべき位置を検出し、
前記遮断機構を前記解放状態にして前記車両が走行した場合に、前記車両が前記一時停止するべき位置まで到達することができるか否かを判断し、
前記車両が前記一時停止するべき位置まで到達することができると判断した場合に、前記一時停止するべき位置に到達する以前に、前記遮断機構を前記係合状態から前記解放状態に切り替えるとともに、前記一時停止するべき位置で前記車両を一時停止させる制動制御を実行し、
前記車両が前記一時停止するべき位置から発進する際における前記車両の周辺情報および外部状況に基づいた安全確認を、前記一時停止した状態でかつ前記遮断機構を前記解放状態に維持したまま実行し、
前記安全確認が完了したことを条件に、前記遮断機構を前記解放状態から前記係合状態に切り替えるように構成されている
ことを特徴とする車両の制御装置。
【手続補正３】
【補正対象書類名】特許請求の範囲
【補正対象項目名】請求項７
【補正方法】変更
【補正の内容】
【請求項７】
請求項１ないし６のいずれか一項に記載の車両の制御装置において、
前記コントローラは、
前記車両が一方通行路における前記一時停止するべき位置で停止する場合には、前記一方通行路の車線での中央部に前記車両を停止させるように構成されている
ことを特徴とする車両の制御装置。
【手続補正４】
【補正対象書類名】明細書
【補正対象項目名】０００６
【補正方法】変更
【補正の内容】
【０００６】
上記の目的を達成するために、この発明は、駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、前記コントローラは、前記車両が一時停止するべき位置を検出し、前記一時停止するべき位置が検出された場合に、前記一時停止するべき位置で前記車両を一時停止させる制動制御を実行し、前記一時停止した状態で前記遮断機構を前記係合状態から前記解放状態に切り替え、前記車両が前記一時停止するべき位置から発進する際における前記車両の周辺情報および外部状況に基づいた安全確認を、前記一時停止した状態でかつ前記遮断機構を前記解放状態に維持したまま実行し、前記安全確認が完了したことを条件に、前記遮断機構を前記解放状態から前記係合状態に切り替えるように構成されていることを特徴とするものである。
【手続補正５】
【補正対象書類名】明細書
【補正対象項目名】０００７
【補正方法】変更
【補正の内容】
【０００７】
また、この発明は、駆動力源と、前記駆動力源からトルクが伝達されることにより走行するための駆動力を発生させる駆動輪と、前記駆動輪を含む少なくともいずれかの車輪に制動トルクを作用させる制動機構と、前記駆動力源から前記駆動輪に到るトルクの伝達経路に介在され、前記伝達経路でのトルクの伝達を可能にする係合状態と前記伝達経路でのトルクの伝達を遮断する解放状態とを切り替え可能な遮断機構と、乗員が運転操作することなく発進、停止、および転舵を含む自動走行できるように、少なくとも前記駆動力源と前記制動機構と前記遮断機構とを前記自動走行中に制御するコントローラとを備えた車両の制御装置において、前記コントローラは、前記車両が一時停止するべき位置を検出し、前記遮断機構を前記解放状態にして前記車両が走行した場合に、前記車両が前記一時停止するべき位置まで到達することができるか否かを判断し、前記車両が前記一時停止するべき位置まで到達することができると判断した場合に、前記一時停止するべき位置に到達する以前に、前記遮断機構を前記係合状態から前記解放状態に切り替えるとともに、前記一時停止するべき位置で前記車両を一時停止させる制動制御を実行し、前記車両が前記一時停止するべき位置から発進する際における前記車両の周辺情報および外部状況に基づいた安全確認を、前記一時停止した状態でかつ前記遮断機構を前記解放状態に維持したまま実行し、前記安全確認が完了したことを条件に、前記遮断機構を前記解放状態から前記係合状態に切り替えるように構成されていることを特徴とするものである。
【手続補正６】
【補正対象書類名】明細書
【補正対象項目名】００１２
【補正方法】変更
【補正の内容】
【００１２】
この発明では、前記コントローラは、前記車両が一方通行路における前記一時停止するべき位置で停止する場合には、前記一方通行路の車線での中央部に前記車両を停止させるように構成されていてよい。